(57)【要約】【課題】  尾引きを防止するためにトナーを用紙に転写する際の転写電圧を高くする方法を採用する際に、用紙の搬送速度が遅くなる場合であっても、転写不良を起こり難くすること。【解決手段】  印刷時に所定の尾引き対策モードが設定された際に、基本的には、トナーの転写電圧を高とするが、用紙の搬送速度が遅くなる場合には、トナーの転写電圧を中とする。【選択図】  図５
2015179106.tif 000002
【特許請求の範囲】
【請求項１】
用紙の設定を受け付ける第１の受付手段と、
尾引きを軽減させるための尾引き対策モードの設定を受け付ける第２の受付手段と、
前記第１の受付手段により受け付けられた用紙の設定に応じて、画像形成処理を実行する際の用紙の搬送速度を設定する第１の設定手段と、
前記第２の受付手段により受け付けられた尾引き対策モードの設定に応じて、画像形成処理を実行する際の記録材の転写電圧を設定する第２の設定手段と、
前記第１の受付手段により受け付けられた用紙の設定、前記第１の設定手段により設定された搬送速度、及び前記第２の設定手段により設定された転写電圧に従って、画像形成処理を実行する画像形成手段とを有し、
前記第２の設定手段は、前記第２の受付手段により第１の尾引き対策モードが受け付けられた場合において、前記第１の設定手段により第１の搬送速度が設定される場合には、第１の転写電圧を設定し、前記第１の設定手段により前記第１の搬送速度より遅い第２の搬送速度が設定される場合には、前記第１の転写電圧より低い第２の転写電圧を設定することを特徴とする画像形成システム。
【請求項２】
前記第２の設定手段は、前記第２の受付手段により第２の尾引き対策モードが受け付けられた場合には、前記第２の転写電圧を設定することを特徴とする請求項１に記載の画像形成システム。
【請求項３】
前記第２の設定手段は、前記第２の受付手段により尾引き対策モードが受け付けられなかった場合には、前記第２の転写電圧を設定することを特徴とする請求項１又は２に記載の画像形成システム。
【請求項４】
前記第２の設定手段は、前記第２の受付手段により前記第１の尾引き対策モードが受け付けられた場合において、前記第１の受付手段により第１の用紙タイプが受け付けられた場合には、前記第１の転写電圧を設定し、前記第１の受付手段により第２の用紙タイプが受け付けられた場合には、前記第２の転写電圧を設定することを特徴とする請求項１乃至３の何れか１項に記載の画像形成システム。
【請求項５】
前記第２の設定手段は、前記第２の受付手段により前記第１の尾引き対策モードが受け付けられた場合において、前記第１の受付手段により第１の用紙サイズが受け付けられた場合には、前記第１の転写電圧を設定し、前記第１の受付手段により第２の用紙サイズが受け付けられた場合には、前記第２の転写電圧を設定することを特徴とする請求項１乃至４の何れか１項に記載の画像形成システム。
【請求項６】
前記第２の設定手段は、前記第２の受付手段により前記第１の尾引き対策モードが受け付けられた場合において、用紙がカールするのを軽減させるためのカール対策モードが設定されていない場合には、前記第１の転写電圧を設定し、前記カール対策モードが設定されている場合には、前記第２の転写電圧を設定することを特徴とする請求項１乃至５の何れか１項に記載の画像形成システム。
【請求項７】
前記第１の設定手段は、前記第１の受付手段により第１の用紙タイプが受け付けられた場合には、前記第１の搬送速度を設定し、前記第１の受付手段により第２の用紙タイプが受け付けられた場合には、前記第２の搬送速度を設定することを特徴とする請求項１乃至６の何れか１項に記載の画像形成システム。
【請求項８】
前記第１の設定手段は、前記第１の受付手段により第１の用紙サイズが受け付けられた場合には、前記第１の搬送速度を設定し、前記第１の受付手段により第２の用紙サイズが受け付けられた場合には、前記第２の搬送速度を設定することを特徴とする請求項１乃至７の何れか１項に記載の画像形成システム。
【請求項９】
前記第１の設定手段は、用紙がカールするのを軽減させるためのカール対策モードが設定されていない場合には、前記第１の搬送速度を設定し、前記カール対策モードが設定されている場合には、前記第２の搬送速度を設定することを特徴とする請求項１乃至８の何れか１項に記載の画像形成システム。
【請求項１０】
前記第１の用紙タイプは、普通紙、薄紙、又はＯＨＰであることを特徴とする請求項４又は７に記載の画像形成システム。
【請求項１１】
前記第１の用紙サイズは、Ａ４、Ｌｅｔｔｅｒ、又はＬｅｇａｌであることを特徴とする請求項５又は８に記載の画像形成システム。
【請求項１２】
前記第２の受付手段により受け付けられた尾引き対策モードの設定に応じて、画像形成処理を実行する際に用いられる画像データに対して間引き処理を実行する間引き手段を更に有することを特徴とする請求項１乃至１１の何れか１項に記載の画像形成システム。
【請求項１３】
前記画像形成システムは、情報処理装置と画像形成装置を含み、
前記情報処理装置は、前記第１の受付手段、及び前記第２の受付手段を有し、
前記画像形成装置は、前記第１の設定手段、前記第２の設定手段、及び前記画像形成手段を有することを特徴とする請求項１乃至１２の何れか１項に記載の画像形成システム。
【請求項１４】
画像形成システムの制御方法であって、
用紙の設定を受け付ける第１の受付工程と、
尾引きを軽減させるための尾引き対策モードの設定を受け付ける第２の受付工程と、
前記第１の受付工程により受け付けられた用紙の設定に応じて、画像形成処理を実行する際の用紙の搬送速度を設定する第１の設定工程と、
前記第２の受付工程により受け付けられた尾引き対策モードの設定に応じて、画像形成処理を実行する際の記録材の転写電圧を設定する第２の設定工程と、
前記第１の受付工程により受け付けられた用紙の設定、前記第１の設定工程により設定された搬送速度、及び前記第２の設定工程により設定された転写電圧に従って、画像形成処理を実行する画像形成工程とを有し、
前記第２の設定工程では、前記第２の受付工程により第１の尾引き対策モードが受け付けられた場合において、前記第１の設定工程により第１の搬送速度が設定される場合には、第１の転写電圧を設定し、前記第１の設定工程により前記第１の搬送速度より遅い第２の搬送速度が設定される場合には、前記第１の転写電圧より低い第２の転写電圧を設定することを特徴とする制御方法。
【請求項１５】
画像形成システムに、
用紙の設定を受け付ける第１の受付工程と、
尾引きを軽減させるための尾引き対策モードの設定を受け付ける第２の受付工程と、
前記第１の受付工程により受け付けられた用紙の設定に応じて、画像形成処理を実行する際の用紙の搬送速度を設定する第１の設定工程と、
前記第２の受付工程により受け付けられた尾引き対策モードの設定に応じて、画像形成処理を実行する際の記録材の転写電圧を設定する第２の設定工程と、
前記第１の受付工程により受け付けられた用紙の設定、前記第１の設定工程により設定された搬送速度、及び前記第２の設定工程により設定された転写電圧に従って、画像形成処理を実行する画像形成工程とを実行させるためのプログラムであって、
前記第２の設定工程では、前記第２の受付工程により第１の尾引き対策モードが受け付けられた場合において、前記第１の設定工程により第１の搬送速度が設定される場合には、第１の転写電圧を設定し、前記第１の設定工程により前記第１の搬送速度より遅い第２の搬送速度が設定される場合には、前記第１の転写電圧より低い第２の転写電圧を設定することを特徴とするプログラム。
【発明の詳細な説明】
【技術分野】
【０００１】
本発明は、画像形成システム、制御方法及びプログラムに関する。
【背景技術】
【０００２】
プリンタは、印刷を実行する際に、トナーを用紙に転写し、そのトナーを定着器により加熱加圧して用紙に定着させる。
【０００３】
このとき、特に色がベタ塗りになっている画像において、用紙に含まれる水分が定着器を通過する過程で急蒸発し、定着器の上流側に位置するトナーが部分的に吹き飛ばされることにより、尾引きと呼ばれる画像不良が発生することがある。尾引きを防止するための技術としては、ラスタデータに対して間引き処理を実行する方法（特許文献１）や、トナーを用紙に転写する際の転写電圧を高くする方法（特許文献２）等が知られている。
【０００４】
一方、プリンタは、用紙タイプや用紙サイズが特殊な場合に、用紙の搬送速度を遅くして印刷を実行することがある。例えば、用紙タイプが厚紙である場合には、時間をかけて定着を行う必要があるため、用紙の搬送速度を遅くする。また、用紙サイズが幅狭である場合には、定着部の端部昇温用紙の搬送速度を遅くする。
【先行技術文献】
【特許文献】
【０００５】
【特許文献１】特開２００４−３１４３０８号公報
【特許文献２】特開２０００−０６６５３６号公報
【発明の概要】
【発明が解決しようとする課題】
【０００６】
感光体から用紙への転写は、感光体と圧接もしくは対抗する転写ローラ等の転写部材にトナーと逆の電圧を印加し、トナーが転写部材へ向かうように電界を形成することにより行われる。この際、用紙にはトナーと逆極性の電荷が注入され、トナーが静電的に用紙に保持される。静電的保持力の観点からすると、用紙に注入される電荷は多い方が有利であり、前述した尾引きも発生し難くなる。しかし、転写電圧を高くし過ぎると、用紙に電荷が溢れてしまい、その電荷が紙を超えてトナーまで到達してトナーが転写電圧と同極性に帯電してしまい、トナーの飛び散りや再転写等の転写不良が発生する。
【０００７】
尾引きを防止するためにトナーを用紙に転写する際の転写電圧を高くする方法を採用すると、特に用紙の搬送速度が遅くなる場合に、転写不良が起こり易くなってしまう。なぜならば、用紙に注入される電荷量は転写電圧と通過時間の乗算により決定されるため、搬送速度が遅い（通過時間が長くなる）状況下においては、同じ転写電圧であっても用紙に電荷が溢れ易くなるからである。
【０００８】
本発明は、尾引きを防止するためにトナーを用紙に転写する際の転写電圧を高くする方法を採用する際に、用紙の搬送速度が遅くなる場合であっても、転写不良を起こり難くすることを目的とする。
【課題を解決するための手段】
【０００９】
本発明に係る画像形成システムは、用紙の設定を受け付ける第１の受付手段と、尾引きを軽減させるための尾引き対策モードの設定を受け付ける第２の受付手段と、前記第１の受付手段により受け付けられた用紙の設定に応じて、画像形成処理を実行する際の用紙の搬送速度を設定する第１の設定手段と、前記第２の受付手段により受け付けられた尾引き対策モードの設定に応じて、画像形成処理を実行する際の記録材の転写電圧を設定する第２の設定手段と、前記第１の受付手段により受け付けられた用紙の設定、前記第１の設定手段により設定された搬送速度、及び前記第２の設定手段により設定された転写電圧に従って、画像形成処理を実行する画像形成手段とを有し、前記第２の設定手段は、前記第２の受付手段により第１の尾引き対策モードが受け付けられた場合において、前記第１の設定手段により第１の搬送速度が設定される場合には、第１の転写電圧を設定し、前記第１の設定手段により前記第１の搬送速度より遅い第２の搬送速度が設定される場合には、前記第１の転写電圧より低い第２の転写電圧を設定することを特徴とする。
【発明の効果】
【００１０】
本発明により、尾引きを防止するためにトナーを用紙に転写する際の転写電圧を高くする方法を採用する際に、用紙の搬送速度が遅くなる場合であっても、転写不良を起こり難くすることが可能となる。
【図面の簡単な説明】
【００１１】
【図１】システムの構成を示す図
【図２】ＰＣの構成を示すブロック図
【図３】プリンタの構成を示すブロック図
【図４】ＰＣにおける印刷時の動作を示すフローチャート
【図５】プリンタのコントローラにおける印刷時の動作を示すフローチャート
【図６】プリンタのプリンタエンジンにおける印刷時の動作を示すフローチャート
【図７】プリンタドライバの印刷設定画面を示す図
【図８】尾引き対策モードに応じた間引きパターンを示す図
【図９】印刷データのデータ構造を示す図
【図１０】プリンタの断面図
【発明を実施するための形態】
【００１２】
以下の説明では、画像形成装置の一例として単機能のプリンタについて説明するが、画像形成装置は複合機能のプリンタ（プリントだけでなく、コピー・スキャン・ＦＡＸ等の機能も備えるプリンタ）であってもよい。
【００１３】
〔第１の実施形態〕
＜画像形成システム＞
図１は、システムの構成を示す図である。
【００１４】
ユーザ１０１の指示により、ＰＣ１０２からプリンタ１０３に印刷ジョブを送信することができる。ＰＣ１０２とプリンタ１０３は、ネットワーク１０４（ＵＳＢ、有線ＬＡＮ、無線ＬＡＮ等）を介して、互いに通信可能となっている。
【００１５】
＜装置の構成：ＰＣ（情報処理装置）＞
図２は、ＰＣの構成を示すブロック図である。
ＣＰＵ２０１は、ＰＣ１０２のシステム全体を制御する。
ＲＡＭ２０２は、ＣＰＵ２０１のワークメモリとして機能する。
ＨＤＤ２０３は、ＣＰＵ２０１が使用するデータやプログラム等を記憶する。
操作部Ｉ／Ｆ２０４は、操作部２０５との間でデータの入出力を行う。
操作部２０５は、ユーザから各種操作を受付ける。
無線ＬＡＮＩ／Ｆ２０６は、無線ＬＡＮとの間でデータの入出力を行う。
有線ＬＡＮＩ／Ｆ２０７は、有線ＬＡＮとの間でデータの入出力を行う。
ＵＳＢＩ／Ｆ２０８は、ＵＳＢとの間でデータの入出力を行う。
表示部Ｉ／Ｆ２０９は、表示部２１０との間でデータの入出力を行う。
表示部２１０は、ユーザに各種情報を表示する。
バス２１１は、ＰＣ１０２の各構成を相互に接続する。
【００１６】
＜装置の構成：プリンタ（画像形成装置）＞
図３は、プリンタの構成を示すブロック図である。
コントローラ３００は、プリントの制御に必要な各種構成を有する。
ＣＰＵ３０１は、プリンタ１０３のシステム全体を制御する。
ＦｌａｓｈＲＯＭ３０２は、書き換え可能な不揮発性の記憶媒体であり、ＣＰＵ３０１が使用する制御プログラム等を記憶する。
ＲＡＭ３０３は、ＣＰＵ３０１のワークメモリとして機能する。
ＮＶＭＥＭ３０４は、不揮発性の記憶媒体であり、プリンタ１０３の設定情報等を記憶する。
操作部Ｉ／Ｆ３０５は、操作部３０６との間でデータの入出力を行う。
操作部３０６は、ユーザから各種操作を受付ける。
無線ＬＡＮＩ／Ｆ３０７は、無線ＬＡＮとの間でデータの入出力を行う。
有線ＬＡＮＩ／Ｆ３０８は、有線ＬＡＮとの間でデータの入出力を行う。
ＩｍａｇｅＢＵＳＩ／Ｆ３０９は、システムバス３１６とイメージバス３１７を相互に接続する。
ＵＳＢＩ／Ｆ３１０は、ＵＳＢとの間でデータの入出力を行う。
表示部Ｉ／Ｆ３１１は、表示部３１２との間でデータの入出力を行う。
表示部３１２は、ユーザに各種情報を表示する。
ＲＩＰ３１３は、ＰＤＬデータを展開してラスタデータ（ビットマップデータ）を生成する。
プリンタＩ／Ｆ３１４は、イメージバス３１７とプリンタエンジン３１８を相互に接続する。
画像処理部３１５は、画像データに対して補正・加工・編集・回転・圧縮・伸張・解像度変換等の各種画像処理を実行する。
システムバス３１６は、コントローラ３００の構成のうち、システム制御に関する各構成を相互に接続する。
イメージバス３１７は、コントローラ３００の構成のうち、イメージ処理に関する各構成を相互に接続する。
プリンタエンジン３１８は、ラスタイメージデータに基づいて、用紙に印刷を行う。
図１０は、プリンタの断面図である。
レーザドライバ１００２は、印刷データをビデオ信号に変換して出力する。
半導体レーザ１００３は、レーザドライバ１００２から入力したビデオ信号に応じてレーザ光を発射する。
レーザ光１００４は、半導体レーザ１００３により発射される。
回転多面鏡１００５は、レーザ光１００４を主走査方向に振る。
感光体１００６は、回転多面鏡１００５により主走査方向に振らされたレーザ光を受けて走査露光される。これにより、感光体１００６上には出力画像の静電潜像が形成される。
現像器１００７は、感光体１００６上に形成された出力画像の静電潜像を現像する。その後、出力画像は感光体１００６から用紙に転写される。
用紙カセット１００８は、用紙を格納する。
給紙ローラ１００９は、用紙カセット１００８に格納された用紙を給紙する。
搬送ローラ１０１０及び搬送ローラ１０１１は、給紙ローラ１００９により給紙された用紙を感光体１００６に搬送する。用紙の搬送速度の調整は、搬送ローラ１０１０及び搬送ローラ１０１１の回転速度を制御することにより行う。
定着器１０１２は、用紙に転写された出力画像を定着させる。定着器１０１２は、定着ローラの温度を感知して端部の温度が規定値以上になると昇温エラーを検出する検出部を備える。
排紙ローラ１０１３は、定着器１０１２により出力画像が定着された用紙を排紙する。
転写ローラ１０１４は、トナーと逆の転写電圧を印加することにより、トナーを感光体から用紙へ転写する。転写電圧の調整は、転写ローラ１０１４の印加電圧を制御することにより行う。
【００１７】
＜印刷時の制御：ＰＣ＞
図４は、ＰＣにおける印刷時の動作を示すフローチャートである。
このフローチャートに示す動作は、ＣＰＵ２０１が、ＨＤＤ２０３に記憶されたプログラムをＲＡＭ２０２に読み出して実行することにより実現する。
また、このフローチャートに示す動作は、ＰＣ１０２において、アプリケーションでファイルを開いた状態で、プリンタドライバを立ち上げることにより開始される。
Ｓ４０１において、ＣＰＵ２０１は、表示部２１０を介して、プリンタドライバの印刷設定画面を表示する。
図７は、プリンタドライバの印刷設定画面を示す図である。
プリンタドライバの印刷設定画面７００を介して、様々な印刷設定を行うことができる。
印刷プレビュー領域７０１には、現在の設定に従って印刷した場合のプレビュー画像が表示される。
設定確認ボタン７０２を押下すると、ダイアログが開き、現在の設定の一覧が表示される。
用紙サイズの設定メニュー７０３では、Ａ４、Ｌｅｔｔｅｒ、Ｌｅｇａｌ、Ｂ５、Ａ５、はがき、封筒等の選択肢の中から何れかを選択することにより、用紙サイズを設定することができる。
用紙タイプの設定メニュー７０４では、普通紙、薄紙、ＯＨＰ、厚紙、はがき、封筒等の選択肢の中から何れかを選択することにより、用紙タイプを設定することができる。ここで、用紙タイプとは、用紙の坪量（用紙１ｍ2当たりの重量）の違いに応じた用紙のタイプを意味する。
尾引き対策モードの設定メニュー７０５では、ＯＦＦ、モードＡ、モードＢ、モードＣ、モードＤ等の選択肢の中から何れかを選択することにより、尾引き対策モードを設定することができる。この尾引き対策モードにより、後述する間引きパターンや尾引き対策コマンドの発行の有無が判断される。
その他の設定メニュー７０６では、片面印刷、両面印刷や、給紙段等を設定することができる。
印刷開始ボタン７０７が押下されると、印刷が開始する。
閉じるボタン７０８が押下されると、プリンタドライバの印刷設定画面７００が閉じられる。
【００１８】
図４の説明に戻る。
Ｓ４０２において、ＣＰＵ２０１は、操作部２０５を介して、用紙サイズの設定メニュー７０３の中からユーザ１０１により選択された用紙サイズを受け付ける。
Ｓ４０３において、ＣＰＵ２０１は、操作部２０５を介して、用紙タイプの設定メニュー７０４の中からユーザ１０１により選択された用紙タイプを受け付ける。
Ｓ４０４において、ＣＰＵ２０１は、操作部２０５を介して、尾引き対策モードの設定メニュー７０５の中からユーザ１０１により選択された尾引き対策モードを受け付ける。
Ｓ４０５において、ＣＰＵ２０１は、操作部２０５を介して、その他の設定メニュー７０６の中からユーザ１０１により選択された設定を受け付ける。
Ｓ４０６において、ＣＰＵ２０１は、操作部２０５を介して、印刷開始ボタン７０７がユーザ１０１により押下されたか否か判断する。Ｓ４０６でＹＥＳの場合、Ｓ４０７へ進む。Ｓ４０６でＮＯの場合、Ｓ４０２に戻る。
Ｓ４０７において、ＣＰＵ２０１は、ＲＩＰ３１３を制御して、アプリケーションにより開かれているファイルの画像に対してレンダリングを実行して、ラスタデータを生成する。
Ｓ４０８において、ＣＰＵ２０１は、画像処理部３１５を制御して、Ｓ４０７で生成されたラスタデータに対して、Ｓ４０４で受け付けた尾引き対策モードに応じた間引き処理を実行する。
図８は、尾引き対策モードに応じた間引きパターンを示す図である。
尾引き対策モードがＯＦＦに設定された場合、間引き処理は実行しない。
尾引き対策モードがモードＡに設定された場合、パターンＡ８０１を使用して間引き処理を行う。パターンＡ８０１は、間引き量が最も少ない。なお、尾引き対策モードがモードＡに設定された場合、後述するように、印刷時のトナーの転写電圧は中となる。
尾引き対策モードがモードＢに設定された場合、パターンＢ８０２を使用して間引き処理を行う。パターンＢ８０２は、パターンＡ８０１よりも間引き量が多く、パターンＣ８０３やパターンＤ８０４よりも間引き量が少ない。なお、尾引き対策モードがモードＢに設定された場合、後述するように、印刷時のトナーの転写電圧は基本的には高となる。
尾引き対策モードがモードＣに設定された場合、パターンＣ８０３を使用して間引き処理を行う。パターンＣ８０３は、間引き量が最も多い。なお、尾引き対策モードがモードＣに設定された場合、後述するように、印刷時のトナーの転写電圧は中となる。
尾引き対策モードがモードＤに設定された場合、パターンＤ８０４を使用して間引き処理を行う。パターンＤ８０４は、パターンＣ８０３と同様に、間引き量が最も多い。なお、尾引き対策モードがモードＤに設定された場合、後述するように、印刷時のトナーの転写電圧は基本的には高となる。
【００１９】
図４の説明に戻る。
Ｓ４０９において、ＣＰＵ２０１は、Ｓ４０８で間引き処理が実行された後の画像データに、Ｓ４０２〜Ｓ４０５で受け付けた各種設定にそれぞれ対応する設定情報を付加して、印刷データを生成する。
【００２０】
図９は、印刷データのデータ構造を示す図である。
印刷データ９００は、設定情報９０１と画像データ９０６に大別される。
設定情報９０１は、用紙サイズの設定値９０２、用紙タイプの設定値９０３、尾引き対策モードの設定値９０４、その他の設定値９０５を含む。
用紙サイズの設定値９０２は、Ｓ４０２で受け付けた用紙サイズを示す情報である。
用紙タイプの設定値９０３は、Ｓ４０３で受け付けた用紙タイプを示す情報である。
尾引き対策モードの設定値９０４は、Ｓ４０４で受け付けた尾引き対策モードを示す情報である。
その他の設定値９０５は、Ｓ４０５で受け付けたその他の設定を示す情報である。
画像データ９０６は、Ｓ４０８で間引き処理が実行された後のラスタデータである。
【００２１】
図４の説明に戻る。
Ｓ４１０において、ＣＰＵ２０１は、有線ＬＡＮＩ／Ｆ２０７を介して、プリンタ１０３へＳ４０９で生成された印刷データ９００を送信する。なお、有線ＬＡＮＩ／Ｆ２０７の代わりに、無線ＬＡＮＩ／Ｆ２０６やＵＳＢＩ／Ｆ２０８等を介してもよい。
【００２２】
＜印刷時の制御：プリンタ＞
図５は、プリンタのコントローラにおける印刷時の動作を示すフローチャートである。
このフローチャートに示す動作は、ＣＰＵ３０１が、ＦｌａｓｈＲＯＭ３０２に記憶されたプログラムをＲＡＭ３０３に読み出して実行することにより実現する。
Ｓ５０１において、ＣＰＵ３０１は、有線ＬＡＮＩ／Ｆ３０８を介して、ＰＣ１０２からＳ４１０で送信された印刷データ９００を受信する。なお、有線ＬＡＮＩ／Ｆ３０８の代わりに、無線ＬＡＮＩ／Ｆ３０７やＵＳＢＩ／Ｆ３１０等を介してもよい。
【００２３】
Ｓ５０２において、ＣＰＵ３０１は、Ｓ５０１で受信された印刷データ９００に含まれる尾引き対策モードの設定値９０４を参照し、尾引き対策モードがモードＢまたはモードＤに設定されているか否か判断する。Ｓ５０２でＹＥＳの場合、Ｓ５０３へ進む。Ｓ５０２でＮＯの場合、Ｓ５０７へ進む。
【００２４】
Ｓ５０３において、ＣＰＵ３０１は、Ｓ５０１で受信された印刷データ９００に含まれる用紙タイプの設定値９０３を参照し、用紙タイプが普通紙または薄紙またはＯＨＰに設定されているか否か判断する。Ｓ５０３でＹＥＳの場合、Ｓ５０４へ進む。Ｓ５０３でＮＯの場合、Ｓ５０７へ進む。
【００２５】
Ｓ５０４において、ＣＰＵ３０１は、Ｓ５０１で受信された印刷データ９００に含まれる用紙サイズの設定値９０２を参照し、用紙サイズがＡ４またはＬｅｔｔｅｒまたはＬｅｇａｌに設定されているか否か判断する。Ｓ５０４でＹＥＳの場合、Ｓ５０５へ進む。Ｓ５０４でＮＯの場合、Ｓ５０７へ進む。
【００２６】
Ｓ５０５において、ＣＰＵ３０１は、ＮＶＭＥＭ３０４に記憶されたカール設定モードの設定値を参照し、カール対策モードがＯＮに設定されているか否か判断する。カール対策モードとは、印刷時に用紙が熱や圧力によってカールしてしまうのを防止するためのモードである。カール対策モードは、予めユーザから操作部３０６を介してのそのＯＮ／ＯＦＦを受け付け、その設定値をＮＶＭＥＭ３０４に記憶しておく。ＣＰＵ３０１は、カール対策モードがＯＮに設定されている場合、プリンタＩ／Ｆ３１４を介して、プリンタエンジン３１８へカール対策コマンドを送信する。Ｓ５０５でＹＥＳの場合、Ｓ５０７へ進む。Ｓ５０５でＮＯの場合、Ｓ５０６へ進む。
【００２７】
Ｓ５０６において、ＣＰＵ３０１は、プリンタＩ／Ｆ３１４を介して、プリンタエンジン３１８へ尾引き対策コマンドを送信する。
【００２８】
Ｓ５０７において、ＣＰＵ２０１は、プリンタＩ／Ｆ３１４を介して、プリンタエンジン３１８へＳ５０１で受信された印刷データ９００に含まれる画像データ９０６と用紙タイプの設定値９０３と用紙サイズの設定値９０２を送信する。なお、有線ＬＡＮＩ／Ｆ２０７の代わりに、無線ＬＡＮＩ／Ｆ２０６やＵＳＢＩ／Ｆ２０８等を介してもよい。
【００２９】
図６は、プリンタのプリンタエンジンにおける印刷時の動作を示すフローチャートである。
【００３０】
Ｓ６０１において、プリンタエンジン３１８は、コントローラ３００からＳ５０７で送信された画像データ９０６と用紙タイプの設定値９０３と用紙サイズの設定値９０２を受信する。
【００３１】
Ｓ６０２において、プリンタエンジン３１８は、Ｓ６０１で受信された用紙タイプの設定値９０３を参照し、用紙タイプが普通紙または薄紙またはＯＨＰに設定されているか否か判断する。Ｓ６０２でＹＥＳの場合、Ｓ６０３へ進む。Ｓ６０２でＮＯの場合、Ｓ６０５へ進む。
【００３２】
Ｓ６０３において、プリンタエンジン３１８は、Ｓ６０１で受信された用紙サイズの設定値９０２を参照し、用紙サイズがＡ４またはＬｅｔｔｅｒまたはＬｅｇａｌに設定されているか否か判断する。Ｓ６０３でＹＥＳの場合、Ｓ６０４へ進む。Ｓ６０３でＮＯの場合、Ｓ６０５へ進む。
【００３３】
Ｓ６０４において、プリンタエンジン３１８は、コントローラ３００からカール対策コマンドを受信したか確認し、カール対策モードがＯＮに設定されているか否か判断する。Ｓ６０４でＹＥＳの場合、Ｓ６０５へ進む。Ｓ６０４でＮＯの場合、Ｓ６０６へ進む。
【００３４】
Ｓ６０５において、プリンタエンジン３１８は、印刷を実行する際の用紙の搬送速度を半速に設定する。搬送速度は、デフォルトでは全速に設定され、Ｓ６０５を通過しなければ全速に設定されたままとなる。なお、搬送速度は半速＜全速という関係であるが、これと同等の関係であれば半速や全速以外の搬送速度を用いてもよい。
【００３５】
Ｓ６０６において、プリンタエンジン３１８は、コントローラ３００からＳ５０６で送信される尾引き対策コマンドを受信したか否か判断する。Ｓ６０６でＹＥＳの場合、Ｓ６０７へ進む。Ｓ６０６でＮＯの場合、Ｓ６０８へ進む。
【００３６】
Ｓ６０７において、プリンタエンジン３１８は、印刷を実行する際のトナーの転写電圧を高に設定する。転写電圧は、デフォルトでは中に設定され、Ｓ６０７を通過しなければ中に設定されたままとなる。なお、転写電圧は中＜高という関係であるが、これと同等の関係であれば中や高以外の転写電圧を用いてもよい。
【００３７】
Ｓ６０８において、プリンタエンジン３１８は、Ｓ６０１で受信された画像データ９０６と用紙タイプの設定値９０３と用紙サイズの設定値９０２に基づいて、Ｓ６０２〜Ｓ６０７で設定された搬送速度と転写電圧に従って、印刷処理（画像形成処理）を実行する。
【００３８】
以上のように、第１の実施形態では、印刷時に所定の尾引き対策モードが設定された際に、基本的には、トナーの転写電圧を高とするが、用紙の搬送速度が半速になる場合には、トナー（記録材）の転写電圧を中とする。
【００３９】
これにより、第１の実施形態によれば、尾引き対策モードが設定された際に、用紙の搬送速度が半速になる場合であっても、転写でゴーストが発生するのを防止することが可能となる。
【００４０】
〔第２の実施形態〕
第１の実施形態では、印刷設定とレンダリングと間引き処理を、何れもＰＣ側で実行した。
【００４１】
これに対して、第２の実施形態では、印刷設定とレンダリングと間引き処理のうち何れか１つ以上を、プリンタ側で実行する。
【００４２】
この場合、図４（ＰＣの制御）のうちＳ４０１〜Ｓ４０６（印刷設定）とＳ４０７（レンダリング）とＳ４０８（間引き処理）うち該当するものを、図５（プリンタのコントローラの制御）のＳ５０１の前に実行することとすればよい。
【００４３】
第２の実施形態によれば、第１の実施形態と比較して、尾引き対策を行うにあたり、ＰＣ側における処理の負荷を軽減させることが可能となる。
【００４４】
〔第３の実施形態〕
第１の実施形態では、尾引き対策コマンドを発行するか否かの判断を、プリンタのコントローラで実行した。
【００４５】
これに対して、第３の実施形態では、尾引き対策コマンドを発行するか否かの判断を、プリンタ又はプリンタのプリンタエンジンで実行する。
【００４６】
この場合、図５（プリンタのコントローラの制御）のうちＳ５０２〜Ｓ５０６（尾引き対策コマンドを発行するか否かの判断）を、図４（ＰＣの制御）のＳ４０８の後又は図６（プリンタのプリンタエンジンンの制御）のＳ６０１の後に実行することとすればよい。
【００４７】
第３の実施形態によれば、第１の実施形態と比較して、尾引き対策を行うにあたり、プリンタのコントローラにおける処理の負荷を軽減させることが可能となる。
【００４８】
〔他の実施形態〕
本発明は、以下の処理を実行することによっても実現される。
【００４９】
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015179106.tif 000003
【図２】
2015179106.tif 000004
【図３】
2015179106.tif 000005
【図４】
2015179106.tif 000006
【図５】
2015179106.tif 000007
【図６】
2015179106.tif 000008
【図７】
2015179106.tif 000009
【図８】
2015179106.tif 000010
【図９】
2015179106.tif 000011
【図１０】
2015179106.tif 000012